(57)【要約】【課題】 生活空間内に広く汎用的に使用でき、生活空間に効果的にマイナスイオンを発生させることの出来る樹脂成形体を提供する。【解決手段】 微量放射性元素物質を樹脂成形体に含有させることにより、外観や強度も木質調で好感度が高く、かつ、生活空間内に広く汎用的に使用でき、生活空間に効果的にマイナスイオンを発生させることの出来る樹脂成形体を提供することができる。  また、樹脂成形体を内部の芯材部と表層部の２層とし、芯材部と表層部との木粉配合量や添加剤の量を変えることによって、機能や耐久性を向上させることができる。また、微量放射線元素を表層部のみに配合させることで、添加量が少量でも効率的にマイナスイオンを発生させることができる。【特許請求の範囲】
【請求項１】
微量放射性元素物質が配合されるとともに木粉が配合されていることを特徴とする樹脂成形品。
【請求項２】
芯材部と、その芯材部の周囲に被着一体化された表層部からなり、微量放射線元素物質は、少なくとも表層部に配合されていることを特徴とする請求項１に記載の樹脂成形品。
【請求項３】
微量放射性元素物質は、天然放射性希土類鉱物及び／または常温赤外線放射鉱物からなる微粒子、またはそれらを含む無機微粒子であることを特徴とする請求項１または２に記載の樹脂成形品。
【発明の詳細な説明】
【技術分野】
【０００１】
本発明は、例えばベランダや庭、公園等のデッキ材や手摺、笠木、浴室手摺り、ベンチの座部や背もたれ、建物の床材等に用いられる樹脂成形品に関するものである。
【背景技術】
【０００２】
合成樹脂を用いて形成されている素材を使用した製品は、天然の木材に比べ、腐食が発生せず、磨耗性も優れ、耐久性も格段に良いことから、現在では、手すりや柵、公園の遊歩道、床材等、幅広く使われている。また、これらのような樹脂成形品に木質成分を配合したものがある。（例えば、特許文献１参照。）
【０００３】
これらの木質成分を配合した樹脂成形体は、天然木の代替えとして注目を浴びており、木質感のある風合いや模様が外観に現出されるとともに、木粉を配合せずに合成樹脂材料のみからなる木質様材に比べ、木質成分によって強度を向上することができ、且つ低熱膨張率化を図り、熱による変形をしにくくすることができる。
【０００４】
また一方、外観や強度だけでなく、さらに人や環境にやさしいという要素も注目を浴びている。そのなかで近年、マイナスイオンが注目を浴びている。マイナスイオンは人体や環境に好影響があるといわれており、森林や滝、露天風呂などのマイナスイオンの多いといわれる場所が、癒しの場として人気が高く、また、マイナスイオンを発生させる装置や製品も多数提案されている。
【０００５】
空気中のマイナスイオンは、その濃度が適度に高いと様々な効能があると報告されており、例えば、人体の健康や生理機能への効果としてリラックス効果、ストレス緩和、自律神経の調節、疲労回復、乳酸中和、血圧降下、快眠、新陳代謝の促進、血液浄化、血行促進、細胞活性、抗酸化作用、集中力のアップ等がある。これは、マイナスイオンが呼吸により肺から血中に入ったり、皮膚から毛細血管に吸収されることにより、生体組織の細胞の活性が強まって電解質や老廃物の代謝が活発になり、自律神経の働きを活発化させたり、活性酸素を抑制したりするといわれている。
【０００６】
また、マイナスイオンの環境への効果としても、除電、除塵、抗菌、除虫、脱臭、プラスイオンの中和、鮮度保持、ダイオキシンの抑制、ホルムアルデヒドの分解などが挙げられ、その他の効果としては、植物の細胞の活性化等により植物の成育を促すこともできる。
【０００７】
マイナスイオンを人為的に発生させる方法としては、滝や噴水などでの発生原理であるレナード効果を利用し、水流を何らかの物体に当てて小さな分子に拡散させることによってマイナスイオンを発生させる方法や、コロナ放電等で電気的に電離させてイオンを生成させる方法、放射性物質を利用し、放射線によって空気中の水分等を反応させてイオンを生成させる方法などがある。
【０００８】
【特許文献１】特開２０００−３０１６７０号公報
【発明の開示】
【発明が解決しようとする課題】
【０００９】
しかしながら、水流を用いる方法や電気的な方法は装置が大きくなりその機構も複雑となるため、使用用途が限られる。また、電源が必要であり使用場所も限られるとともにランニングコストもかかり、また、定期的なメンテナンスなども必要であり、トータルコストも大きくなりがちである。
【００１０】
また、放射性物質を用いた製品も様々提案されているものの、電気的発生方法などと比べて、放射性物質のマイナスイオンの発生量自体が多くなく、局所的な用途に限られて使われおり、人が生活する環境空間に対して十分に効果が得られなかった。
【００１１】
そこで本発明は上記の如き問題点に鑑みてなされたものであり、マイナスイオンを発生させることのできる微量放射性元素物質を樹脂成形体に含有させることにより、外観や強度も木質調で好感度が高く、かつ、生活空間内に広く汎用的に使用でき、生活空間に効果的にマイナスイオンを発生させることの出来る樹脂成形体を提供せんとするものである。
【課題を解決するための手段】
【００１２】
上記目的を達成するために、本発明は次のような構成としている。すなわち微量放射性元素物質が配合されるとともに木粉が配合されていることを特徴とするものである。
【００１３】
本発明によれば、樹脂成形体を成形する際に微量放射性元素を含有させておくことで、周囲にマイナスイオンを発生させることのできる樹脂成形体を提供することができる。また木粉を配合しておくことによって、木質感を現出させることができるとともに、成形品の強度を向上することができ、且つ低熱膨張率化を図り、熱による変形をしにくくすることができる。すなわち、木粉によって外観や強度を向上させることができるとともに、微量放射線元素の存在により周囲に発生するマイナスイオンにより、人体の健康や生理機能への効果や除電、除塵、抗菌、除虫、脱臭などの環境への効果のある樹脂成形品を得ることができる。
【００１４】
本発明のように、樹脂成形品に上記の効果を付与することによって、様々な生活周辺の材料として用いることができ、屋内、屋外ともに生活空間に効果的にマイナスイオンを発生させることができる。
【００１５】
芯材部と、その芯材部の周囲に被着一体化された表層部からなり、微量放射線元素物質は、表層部にのみ配合されていることを特徴とするものである。
【００１６】
樹脂成形体は２層になっており、内部の芯材部と表層部とからなっている。芯材部と表層部との木粉配合量や添加剤の量を帰ることによって、機能や耐久性を向上させることができる。すなわち、芯材部を厚肉にして表面部木粉配合量を多くすることにより強度の向上や低熱膨張率化等の性能を高めることができるとともに表層部を薄肉にして木質感のある風合いや模様を外観に鮮明に現出させることができる。しかも芯材部は廃棄合成樹脂材料を使用してもよく、又木粉配合量を多くしてもよく、このために耐候性に問題が生じても、芯材部を覆う表層部に添加剤を配合したり木粉の配合量を少なくすることにより耐候性を向上させることができ、添加剤を配合する場合は表層部だけでよいので添加剤の量が少量となり、経済的に耐候性を向上させることができる。
【００１７】
さらに微量放射性元素物質は、表層部のみに配合されていればよい。微量放射線元素は、微量の放射線を放出しその放射線により空気中の水分子などをイオン化しマイナスイオンが発生するが、その放射線の強さは距離の２乗に反比例するといわれており、できるだけ表層に配合するのが好ましい。したがって経済性とその効果を考えると、微量放射線元素は表層部のみに配合するようにするとよい。
【００１８】
また、微量放射性元素物質は、天然放射性希土類鉱物及び／または常温赤外線放射鉱物からなる微粒子、またはそれらを含む無機微粒子であることを特徴とするものである。
【００１９】
天然放射性希土類鉱物もしくは、常温赤外線放射鉱物は、天然に存在し、微量の放射線を発生する鉱物であって、これらの発生した放射線が、空気中の水分等と反応し、マイナスイオンを発生させる。これらの鉱物は、半永久的に放射線を発生するので、マイナスイオンの発生効果も半永久的に期待できる。
【００２０】
また、これらの鉱物から発生する放射線は、極微量であり、人体には全く悪影響がないと言われている。それどころか、微量の放射線はホルミシス効果と呼ばれる生体を活性化させ免疫機能の向上や老化抑制、発育や成長の促進などの効果があるといわれ、マイナスイオンの効果との相乗効果が期待できる。
【００２１】
これらの天然放射性希土類鉱物もしくは、常温赤外線放射鉱物は、そのまま粉砕したものを用いてもよいし、酸化ケイ素や酸化ジルコニウムなどに担持されたものでもよいし、それらとの混合物でもよい。
【００２２】
また、芯材部及び／又は表層部を形成する合成樹脂材料は、ポリオレフイン系合成樹脂を主成分とするものであるとよい。
【００２３】
ポリオレフィン系樹脂には、ポリエチレン、ポリプロピレン、ポリブテン、ポリイソプレン、エチレン酢酸ビニル共重合体などがあり、環境ホルモンや、燃焼したときのダイオキシンの発生などがないため優れている。また、樹脂成形体の成形方法は特に限定されるものではないが、押出成形や射出成形等が好適に用いられる。
【発明の効果】
【００２４】
本発明によれば、微量放射性元素物質を樹脂成形体に含有させることにより、外観や強度も木質調で好感度が高く、かつ、生活空間内に広く汎用的に使用でき、生活空間に効果的にマイナスイオンを発生させることの出来る樹脂成形体を提供することができる。
【００２５】
また、樹脂成形体を内部の芯材部と表層部の２層とし、芯材部と表層部との木粉配合量や添加剤の量を変えることによって、機能や耐久性を向上させることができる。また、微量放射線元素を表層部のみに配合させることで、添加量が少量でも効率的にマイナスイオンを発生させることができる。
【発明を実施するための最良の形態】
【００２６】
本発明に係わる実施の形態について、図面に基づき以下に具体的に説明する。図１は本発明の実施の一形態を表す斜視図である。樹脂成形品１は、木粉と微量放射線元素が配合された樹脂材料を押出成形した木質様の樹脂成形品である。
【００２７】
用いる微量放射線元素としては、天然放射性希土類鉱物や常温赤外線放射鉱物等を用いるとよい。天然放射性希土類鉱物は、火山地帯や温泉地帯に多く分布する自然界に存在する微量の放射線を発する鉱物であり、例えばウラン系核種やトリウム系核種などの放射性物質を含むものである。また、常温赤外線放射鉱物は、シリカやアルミナを主成分とした鉱物で、常温で赤外線を発生させるものである。これらの鉱物をそのまま粉砕して微粒子化したものを配合してもよいし、酸化ケイ素や酸化ジルコニウムなどに担持させた微粒子を用いても良い。天然放射性希土類鉱物を含む無機微粒子の配合量は、多ければ多いほどマイナスイオンの発生量が高いが、合成樹脂材料に対して３重量部〜２０重量部程度が好ましい。２０重量部２を超えると樹脂層や接着層の強度や接合強度が低下してしまう。逆に、３重量部より少ないとマイナスイオンの発生量が少なくなってしまい、効果が十分に発現しない。
【００２８】
用いる木粉としては、植物繊維の粉砕物であればその種類は特に限定されるものではないが、スギ、ベイツガ等の針葉樹種のものが一般に使用され、その粒径は３０〜１２０メッシュ程度のものが好適に用いられる。また、木粉の配合割合は、合成樹脂材料１００重量部に対して、２０〜１５０重量部程度が好適である。２０重量部より少ないと十分な木質感が得られず、逆に１５０重量部を超えると外観がなめらかにならない。
【００２９】
また、木質感を現出させる着色顔料を配合しておくとよく、を予め着色顔料によって着色された合成樹脂原料を用いればよい。
【００３０】
また、必要に応じて適宜添加剤などを配合してもよく、例えば炭酸カルシウム、石粉等の充填剤や発泡剤、発泡助剤、紫外線吸収剤、帯電防止剤等を配合してもよい。また、不燃性を付与するために水酸化アルミニウム等の無機粒子を配合しても良い。ほかにも、熱可塑性エラストマーを加えて、表面の滑り性を抑制するようにしてもよい。
【００３１】
これらの木粉や微量放射線元素、着色顔料、充填剤や発泡剤、紫外線吸収剤等の添加剤は、合成樹脂材料と予め配合されて粉体状やペレット状等になされ、この粉体状やペレット状のものを押出成形や射出成形して樹脂成形品とすればよい。
【００３２】
用いる合成樹脂材料は、押出成形や射出成形等の成形加工が可能であれば、特に限定されるものではないが、環境ホルモンや、燃焼したときのダイオキシンの発生などがないポリオレフィン系樹脂が好適である。ポリオレフィン系樹脂は、例えばポリエチレン、ポリプロピレン、ポリブテン、ポリイソプレン、エチレン酢酸ビニル共重合体などがある。また、ポレオレフィン系以外を用いることもでき、例えばポリ塩化ビニル、ＡＢＳ樹脂、ポリアミド、アクリル樹脂等の熱可塑性樹脂、フェノール樹脂、ポリエステル、ユリヤ樹脂等の熱硬化性樹脂等を用いることもできるが、環境への影響を考えるとポリオレフィン系樹脂が良い。
【００３３】
図２は、本発明の別の実施の一形態を示した斜視図であり、芯材部１１とこの芯材部の周囲に被着一体化された表層部１２との２層成形体である。表層部と芯材部は微量放射線元素や木粉の配合をかえてあり、微量放射線元素は表層部のみ配合されていればよい。また、芯材部の木粉の配合量を多くするとよく、強度の向上や低膨張率化を図ることができる。表層部の肉厚は薄肉のほうが木質感の風合いや模様を鮮明に現出させることができ、一般的には０．５〜５ｍｍ程度がよい。また、紫外線吸収剤等の添加剤を配合する際は表層部に配合すればよく、このとき、薄肉であれば、その添加量も少なくてよいため経済的にも良い。
【００３４】
また、本発明の樹脂成形体の表層には、他の機能を付加することもできる。たとえば、エンボス加工やシボ付け加工、サンディング処理などを施し、木質感を向上させたり、表面の滑りを抑制するようになされていても良い。また、オレフィン系等の熱可塑性エラストマーからなる線状の滑り止め層を形成して滑り抑制するようにもできる。
【００３５】
芯材に用いる合成樹脂材料は、リサイクル合成樹脂材料を用いることができ、材料の再利用をした環境にもやさしい樹脂成形品を提供することができる。
【００３６】
本発明の樹脂成形品は、図に示した形状に限定されるものではなく、その形状は特に限定されない。例えば、樹脂成形品は、中空部を有していてもよいし、より平板に近い板状のものや、断面が丸形や三角であったり凹凸があってもよい。また、樹脂成形品の使用用途は特に限定されるものではない。
【図面の簡単な説明】
【００３７】
【図１】本発明の樹脂成形体の実施の一形態を示す概略図である。
【図２】本発明の樹脂成形体の実施の一形態を示す概略図である。
【符号の説明】
【００３８】
１    樹脂成形品
１１  表面部
１２  芯材部
【図１】
2005105094.tif 000002
【図２】
2005105094.tif 000003